【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
ポゾラン粉末と、
1種または複数種のpH中性活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ、
前記水和可能なセメントが、水和可能なセメントの総重量に基づいて20重量%未満のポルトランドセメントを有する、水和可能なセメント。
【請求項２】
水和可能なセメント中の活性化剤の総重量の95%より多くを構成するクエン酸塩活性化剤を含む、請求項1記載の水和可能なセメント。
【請求項３】
水和可能なセメントの総重量に基づいて15重量%未満の量のポルトランドセメントを含む、請求項1又は2記載の水和可能なセメント。
【請求項４】
実質的にポルトランドセメントを含まない、請求項1〜3いずれか一項記載の水和可能なセメント。
【請求項５】
水和可能なセメントの総重量に基づいて20wt%またはそれ以上の酸化物として表されるカルシウム含量を有する、請求項1〜4いずれか一項記載の水和可能なセメント。
【請求項６】
カルシア(calcia)対シリカのモル比が約1.2:1〜約1.4:1である、請求項1〜5いずれか一項記載の水和可能なセメント。
【請求項７】
ポゾラン粉末が、クラスCフライアッシュ、クラスFフライアッシュ、クラスNポゾランアッシュおよびそれらの組み合わせからなる群より選択される、請求項1〜6いずれか一項記載の水和可能なセメント。
【請求項８】
ポゾラン粉末が、本質的には、クラスCフライアッシュおよびクラスFフライアッシュからなり、水和可能なセメントの総重量に基づいて、クラスCフライアッシュが50〜80重量%の量で存在し、かつ、クラスFフライアッシュが10〜30重量%の量で存在する、請求項1〜7いずれか一項記載の水和可能なセメント。
【請求項９】
カルシウムに富んだ材料である添加物をさらに含む、請求項1〜8いずれか一項記載の水和可能なセメント。
【請求項１０】
前記カルシウムに富んだ材料がセメント窯ダスト、石灰窯ダスト、高炉スラグ、スクラバアッシュおよびそれらの組み合わせからなる群より選択される産業副産物を含む、請求項9記載の水和可能なセメント。
【請求項１１】
ポゾラン粉末が本質的にはクラスCフライアッシュからなる、請求項1〜10いずれか一項記載の水和可能なセメント。
【請求項１２】
水和可能なセメントの総重量に基づいて50〜95重量%のクラスCフライアッシュを含む、請求項1〜11いずれか一項記載の水和可能なセメント。
【請求項１３】
ポゾラン粉末が本質的にはクラスFフライアッシュからなる、カルシウムに富んだ材料である添加物をさらに含む請求項1〜12いずれか一項記載の水和可能なセメント。
【請求項１４】
前記カルシウムに富んだ材料がセメント窯ダスト、石灰窯ダスト、高炉スラグ、スクラバアッシュおよびそれらの組み合わせからなる群より選択される産業副産物を含む、請求項13記載の水和可能なセメント。
【請求項１５】
水和可能なセメントの総重量に基づいて0.5〜50重量%のクラスFフライアッシュを含む、請求項1〜14いずれか一項記載の水和可能なセメント。
【請求項１６】
ポゾラン粉末が本質的にはクラスNポゾランアッシュからなる、カルシウムに富んだ材料である添加物をさらに含む請求項1〜15いずれか一項記載の水和可能なセメント。
【請求項１７】
前記カルシウムに富んだ材料がセメント窯ダスト、石灰窯ダスト、高炉スラグ、スクラバアッシュおよびそれらの組み合わせからなる群より選択される産業副産物を含む、請求項16記載の水和可能なセメント。
【請求項１８】
水和可能なセメントの総重量に基づいて0.5〜50重量%のクラスNポゾランアッシュを含む、請求項1〜17いずれか一項記載の水和可能なセメント。
【請求項１９】
凝結遅延剤がボレート化合物を含む、請求項1〜18いずれか一項記載の水和可能なセメント。
【請求項２０】
水和可能なセメントの総重量に基づいて0.1〜3.0重量%のボレート凝結遅延剤を含む、請求項1〜19いずれか一項記載の水和可能なセメント。
【請求項２１】
凝結遅延剤がスルフェートまたは有機化合物を含む、請求項1〜20いずれか一項記載の水和可能なセメント。
【請求項２２】
活性化剤がクエン酸カリウムまたはクエン酸ナトリウムを含む、請求項1〜21いずれか一項記載の水和可能なセメント。
【請求項２３】
活性化剤が水和可能なセメントの総重量に基づいて0.1〜15重量%のクエン酸カリウムを含む、請求項1〜22いずれか一項記載の水和可能なセメント。
【請求項２４】
シリカフューム、アルミン酸カルシウム、酸化マグネシウム、石灰、例えばメタカオリンのような反応性クレー、ウォラストナイト、空気連行剤(AEA)、ラテックス、ファイバ、減水剤およびそれらの組み合わせからなる群より選択される添加物をさらに含む、請求項1〜23いずれか一項記載の水和可能なセメント。
【請求項２５】
ポゾラン粉末と、
少なくとも1つが6〜9のpHを有する、2つまたはそれ以上の活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
約6〜約9のpHを有する前記活性化剤が、水和可能なセメント中の活性化剤の総重量の50%より多くを占める、水和可能なセメント。
【請求項２６】
水和可能なセメント中の活性化剤の総重量の10重量%未満の量のアルカリ金属活性化剤を含む、請求項25記載の水和可能なセメント。
【請求項２７】
水和可能なセメント中の活性化剤の総重量の10重量%未満の量のアルカリ金属炭酸塩を含む、請求項25又は26記載の水和可能なセメント。
【請求項２８】
水和可能なセメント中の活性化剤の総重量の25重量%未満の量のアルカリ金属活性化剤を含む、請求項25〜27いずれか一項記載の水和可能なセメント。
【請求項２９】
水和可能なセメント中の活性化剤の総重量の30重量%未満の量のアルカリ金属活性化剤を含む、請求項25〜28いずれか一項記載の水和可能なセメント。
【請求項３０】
水和可能なセメント中の活性化剤の総重量の10重量%未満の量のクエン酸を含む、請求項25〜29いずれか一項記載の水和可能なセメント。
【請求項３１】
水和可能なセメント中の活性化剤の総重量の30重量%未満の量のクエン酸を含む、請求項25〜30いずれか一項記載の水和可能なセメント。
【請求項３２】
水和可能なセメント中の活性化剤の総重量の25重量%未満の量のクエン酸を含む、請求項25〜31いずれか一項記載の水和可能なセメント。
【請求項３３】
水和可能なセメント中の総重量に基づき20重量%未満の量のポルトランドセメントを含む、請求項25〜32いずれか一項記載の水和可能なセメント。
【請求項３４】
水和可能なセメントの総重量に基づいて15重量%未満の量のポルトランドセメントを含む、請求項25〜33いずれか一項記載の水和可能なセメント。
【請求項３５】
実質的にポルトランドセメントを含まない、請求項25〜34いずれか一項記載の水和可能なセメント。
【請求項３６】
水和可能なセメントの総重量に基づいて20wt%またはそれ以上の酸化物として表されるカルシウム含量を有する、請求項25〜35いずれか一項記載の水和可能なセメント。
【請求項３７】
カルシア対シリカのモル比が約1.2:1〜約1.4:1である、請求項25〜36いずれか一項記載の水和可能なセメント。
【請求項３８】
ポゾラン粉末が、クラスCフライアッシュ、クラスFフライアッシュ、クラスNポゾランアッシュおよびそれらの組み合わせからなる群より選択される、請求項25〜37いずれか一項記載の水和可能なセメント。
【請求項３９】
ポゾラン粉末が、本質的には、クラスCフライアッシュおよびクラスFフライアッシュからなり、水和可能なセメントの総重量に基づいて、クラスCフライアッシュが50〜80重量%の量で存在し、かつ、クラスFフライアッシュが10〜30重量%の量で存在する、請求項25〜38いずれか一項記載の水和可能なセメント。
【請求項４０】
カルシウムに富んだ材料である添加物をさらに含む、請求項25〜39いずれか一項記載の水和可能なセメント。
【請求項４１】
前記カルシウムに富んだ材料がセメント窯ダスト、石灰窯ダスト、高炉スラグ、スクラバアッシュおよびそれらの組み合わせからなる群より選択される産業副産物を含む、請求項40記載の水和可能なセメント。
【請求項４２】
ポゾラン粉末が本質的にはクラスCフライアッシュからなる、請求項25〜41いずれか一項記載の水和可能なセメント。
【請求項４３】
水和可能なセメントの総重量に基づいて50〜95重量%のクラスCフライアッシュを含む、請求項25〜42いずれか一項記載の水和可能なセメント。
【請求項４４】
ポゾラン粉末が本質的にはクラスFフライアッシュからなる水和可能なセメントであって、カルシウムに富んだ材料である添加物をさらに含む、請求項25〜43いずれか一項記載の水和可能なセメント。
【請求項４５】
前記カルシウムに富んだ材料がセメント窯ダスト、石灰窯ダスト、高炉スラグ、スクラバアッシュおよびそれらの組み合わせからなる群より選択される産業副産物を含む、請求項44記載の水和可能なセメント。
【請求項４６】
水和可能なセメントの総重量に基づいて0.5〜50重量%のクラスFフライアッシュを含む、請求項25〜45いずれか一項記載の水和可能なセメント。
【請求項４７】
ポゾラン粉末が本質的にはクラスNポゾランアッシュからなる水和可能なセメントであって、カルシウムに富んだ材料である添加物をさらに含む、請求項25〜46いずれか一項記載の水和可能なセメント。
【請求項４８】
前記カルシウムに富んだ材料がセメント窯ダスト、石灰窯ダスト、高炉スラグ、スクラバアッシュおよびそれらの組み合わせからなる群より選択される産業副産物を含む、請求項47記載の水和可能なセメント。
【請求項４９】
水和可能なセメントの総重量に基づいて0.5〜50重量%のクラスNポゾランアッシュを含む、請求項25〜48いずれか一項記載の水和可能なセメント。
【請求項５０】
凝結遅延剤がボレート化合物を含む、請求項25〜49いずれか一項記載の水和可能なセメント。
【請求項５１】
水和可能なセメントの総重量に基づいて0.1〜3.0重量%の量でボレート凝結遅延剤を含む、請求項25〜50いずれか一項記載の水和可能なセメント。
【請求項５２】
凝結遅延剤がスルフェートまたは有機化合物を含む、請求項25〜51いずれか一項記載の水和可能なセメント。
【請求項５３】
活性化剤がクエン酸カリウムまたはクエン酸ナトリウムを含む、請求項25〜52いずれか一項記載の水和可能なセメント。
【請求項５４】
活性化剤が水和可能なセメントの総重量に基づいて0.1〜15重量%のクエン酸カリウムから構成される、請求項25〜53いずれか一項記載の水和可能なセメント。
【請求項５５】
シリカフューム、アルミン酸カルシウム、酸化マグネシウム、石灰、例えばメタカオリンのような反応性クレー、ウォラストナイト、空気連行剤(AEA)、ラテックス、ファイバ、減水剤およびそれらの組み合わせからなる群より選択される添加物をさらに含む、請求項25〜54いずれか一項記載の水和可能なセメント。
【請求項５６】
以下を含む、セメント性組成物：
ポゾラン粉末と、
少なくとも1つが6〜9のpHを有する、2つまたはそれ以上の活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、約6〜約9のpHを有する前記活性化剤が、水和可能なセメント中の活性化剤の総重量の50%より多くを占める、
水和可能なセメント；ならびに
1種または複数種の骨材フィラー。
【請求項５７】
以下を含む、セメント性組成物：
ポゾラン粉末と、
1種または複数種のpH中性活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ
前記水和可能なセメントが、水和可能なセメントの総重量に基づいて20重量%未満のポルトランドセメントを有する、
水和可能なセメント；ならびに
1種または複数種の骨材フィラー。
【請求項５８】
以下を含む、製造物品：
ポゾラン粉末と、
少なくとも1つが6〜9のpHを有する、2つまたはそれ以上の活性化剤と、
凝結遅延剤と
を含む水和および硬化したセメント組成物であって、
水和可能なセメントが、水和可能なセメントの総重量に基づいて15wt%またはそれ以上の酸化物として表されるカルシウム含量を有し、かつ
約6〜約9のpHを有する前記活性化剤が、水和可能なセメント中の活性化剤の総重量の50%より多くを占める、
水和および硬化したセメント組成物。
【請求項５９】
以下を含む、製造物品：
ポゾラン粉末と、
1種または複数種のpH中性活性化剤と、
凝結遅延剤と
を含む水和および硬化したセメント組成物であって、
水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ
前記水和可能なセメントが、水和可能なセメントの総重量に基づいて20重量%未満のポルトランドセメントを有する、
水和および硬化したセメント組成物。
【手続補正２】
【補正対象書類名】明細書
【補正対象項目名】００４９
【補正方法】変更
【補正の内容】
【００４９】
別の態様によれば、水和可能なセメントは、シリカフューム、アルミン酸カルシウム、酸化マグネシウム、石灰、例えばメタカオリンのような反応性クレー、ウォラストナイト、空気連行剤(AEA)、ラテックス、ファイバ、減水剤およびそれらの組み合わせからなる群より選択される添加物を含む。
[請求項1001]
ポゾラン粉末と、
1種または複数種のpH中性活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ、
前記水和可能なセメントが、水和可能なセメントの総重量に基づいて20重量%未満のポルトランドセメントを有する、水和可能なセメント。
[請求項1002]
水和可能なセメント中の活性化剤の総重量の95%より多くを構成するクエン酸塩活性化剤を含む、請求項1001記載の水和可能なセメント。
[請求項1003]
水和可能なセメントの総重量に基づいて15重量%未満の量のポルトランドセメントを含む、請求項1001記載の水和可能なセメント。
[請求項1004]
実質的にポルトランドセメントを含まない、請求項1001記載の水和可能なセメント。
[請求項1005]
水和可能なセメントの総重量に基づいて20wt%またはそれ以上の酸化物として表されるカルシウム含量を有する、請求項1001記載の水和可能なセメント。
[請求項1006]
カルシア(calcia)対シリカのモル比が約1.2:1〜約1.4:1である、請求項1001記載の水和可能なセメント。
[請求項1007]
ポゾラン粉末が、クラスCフライアッシュ、クラスFフライアッシュ、クラスNポゾランアッシュおよびそれらの組み合わせからなる群より選択される、請求項1001記載の水和可能なセメント。
[請求項1008]
ポゾラン粉末が、本質的には、クラスCフライアッシュおよびクラスFフライアッシュからなり、水和可能なセメントの総重量に基づいて、クラスCフライアッシュが50〜80重量%の量で存在し、かつ、クラスFフライアッシュが10〜30重量%の量で存在する、請求項1001記載の水和可能なセメント。
[請求項1009]
カルシウムに富んだ材料である添加物をさらに含む、請求項1001記載の水和可能なセメント。
[請求項1010]
前記カルシウムに富んだ材料がセメント窯ダスト、石灰窯ダスト、高炉スラグ、スクラバアッシュおよびそれらの組み合わせからなる群より選択される産業副産物を含む、請求項1009記載の水和可能なセメント。
[請求項1011]
ポゾラン粉末が本質的にはクラスCフライアッシュからなる、請求項1001記載の水和可能なセメント。
[請求項1012]
水和可能なセメントの総重量に基づいて50〜95重量%のクラスCフライアッシュを含む、請求項1001記載の水和可能なセメント。
[請求項1013]
ポゾラン粉末が本質的にはクラスFフライアッシュからなる、カルシウムに富んだ材料である添加物をさらに含む請求項1001記載の水和可能なセメント。
[請求項1014]
前記カルシウムに富んだ材料がセメント窯ダスト、石灰窯ダスト、高炉スラグ、スクラバアッシュおよびそれらの組み合わせからなる群より選択される産業副産物を含む、請求項1013記載の水和可能なセメント。
[請求項1015]
水和可能なセメントの総重量に基づいて0.5〜50重量%のクラスFフライアッシュを含む、請求項1001記載の水和可能なセメント。
[請求項1016]
ポゾラン粉末が本質的にはクラスNポゾランアッシュからなる、カルシウムに富んだ材料である添加物をさらに含む請求項1001記載の水和可能なセメント。
[請求項1017]
前記カルシウムに富んだ材料がセメント窯ダスト、石灰窯ダスト、高炉スラグ、スクラバアッシュおよびそれらの組み合わせからなる群より選択される産業副産物を含む、請求項1016記載の水和可能なセメント。
[請求項1018]
水和可能なセメントの総重量に基づいて0.5〜50重量%のクラスNポゾランアッシュを含む、請求項1001記載の水和可能なセメント。
[請求項1019]
凝結遅延剤がボレート化合物を含む、請求項1001記載の水和可能なセメント。
[請求項1020]
水和可能なセメントの総重量に基づいて0.1〜3.0重量%のボレート凝結遅延剤を含む、請求項1001記載の水和可能なセメント。
[請求項1021]
凝結遅延剤がスルフェートまたは有機化合物を含む、請求項1001記載の水和可能なセメント。
[請求項1022]
活性化剤がクエン酸カリウムまたはクエン酸ナトリウムを含む、請求項1001記載の水和可能なセメント。
[請求項1023]
活性化剤が水和可能なセメントの総重量に基づいて0.1〜15重量%のクエン酸カリウムを含む、請求項1001記載の水和可能なセメント。
[請求項1024]
シリカフューム、アルミン酸カルシウム、酸化マグネシウム、石灰、例えばメタカオリンのような反応性クレー、ウォラストナイト、空気連行剤(AEA)、ラテックス、ファイバ、減水剤およびそれらの組み合わせからなる群より選択される添加物をさらに含む、請求項1001記載の水和可能なセメント。
[請求項1025]
ポゾラン粉末と、
少なくとも1つが6〜9のpHを有する、2つまたはそれ以上の活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
約6〜約9のpHを有する前記活性化剤が、水和可能なセメント中の活性化剤の総重量の50%より多くを占める、水和可能なセメント。
[請求項1026]
水和可能なセメント中の活性化剤の総重量の10重量%未満の量のアルカリ金属活性化剤を含む、請求項1025記載の水和可能なセメント。
[請求項1027]
水和可能なセメント中の活性化剤の総重量の10重量%未満の量のアルカリ金属炭酸塩を含む、請求項1025記載の水和可能なセメント。
[請求項1028]
水和可能なセメント中の活性化剤の総重量の25重量%未満の量のアルカリ金属活性化剤を含む、請求項1025記載の水和可能なセメント。
[請求項1029]
水和可能なセメント中の活性化剤の総重量の30重量%未満の量のアルカリ金属活性化剤を含む、請求項1025記載の水和可能なセメント。
[請求項1030]
水和可能なセメント中の活性化剤の総重量の10重量%未満の量のクエン酸を含む、請求項1025記載の水和可能なセメント。
[請求項1031]
水和可能なセメント中の活性化剤の総重量の30重量%未満の量のクエン酸を含む、請求項1025記載の水和可能なセメント。
[請求項1032]
水和可能なセメント中の活性化剤の総重量の25重量%未満の量のクエン酸を含む、請求項1025記載の水和可能なセメント。
[請求項1033]
水和可能なセメント中の総重量に基づき20重量%未満の量のポルトランドセメントを含む、請求項1025記載の水和可能なセメント。
[請求項1034]
水和可能なセメントの総重量に基づいて15重量%未満の量のポルトランドセメントを含む、請求項1025記載の水和可能なセメント。
[請求項1035]
実質的にポルトランドセメントを含まない、請求項1025記載の水和可能なセメント。
[請求項1036]
水和可能なセメントの総重量に基づいて20wt%またはそれ以上の酸化物として表されるカルシウム含量を有する、請求項1025記載の水和可能なセメント。
[請求項1037]
カルシア対シリカのモル比が約1.2:1〜約1.4:1である、請求項1025記載の水和可能なセメント。
[請求項1038]
ポゾラン粉末が、クラスCフライアッシュ、クラスFフライアッシュ、クラスNポゾランアッシュおよびそれらの組み合わせからなる群より選択される、請求項1025記載の水和可能なセメント。
[請求項1039]
ポゾラン粉末が、本質的には、クラスCフライアッシュおよびクラスFフライアッシュからなり、水和可能なセメントの総重量に基づいて、クラスCフライアッシュが50〜80重量%の量で存在し、かつ、クラスFフライアッシュが10〜30重量%の量で存在する、請求項1025記載の水和可能なセメント。
[請求項1040]
カルシウムに富んだ材料である添加物をさらに含む、請求項1025記載の水和可能なセメント。
[請求項1041]
前記カルシウムに富んだ材料がセメント窯ダスト、石灰窯ダスト、高炉スラグ、スクラバアッシュおよびそれらの組み合わせからなる群より選択される産業副産物を含む、請求項1040記載の水和可能なセメント。
[請求項1042]
ポゾラン粉末が本質的にはクラスCフライアッシュからなる、請求項1025記載の水和可能なセメント。
[請求項1043]
水和可能なセメントの総重量に基づいて50〜95重量%のクラスCフライアッシュを含む、請求項1025記載の水和可能なセメント。
[請求項1044]
ポゾラン粉末が本質的にはクラスFフライアッシュからなる水和可能なセメントであって、カルシウムに富んだ材料である添加物をさらに含む、請求項1025記載の水和可能なセメント。
[請求項1045]
前記カルシウムに富んだ材料がセメント窯ダスト、石灰窯ダスト、高炉スラグ、スクラバアッシュおよびそれらの組み合わせからなる群より選択される産業副産物を含む、請求項1044記載の水和可能なセメント。
[請求項1046]
水和可能なセメントの総重量に基づいて0.5〜50重量%のクラスFフライアッシュを含む、請求項1025記載の水和可能なセメント。
[請求項1047]
ポゾラン粉末が本質的にはクラスNポゾランアッシュからなる水和可能なセメントであって、カルシウムに富んだ材料である添加物をさらに含む、請求項1025記載の水和可能なセメント。
[請求項1048]
前記カルシウムに富んだ材料がセメント窯ダスト、石灰窯ダスト、高炉スラグ、スクラバアッシュおよびそれらの組み合わせからなる群より選択される産業副産物を含む、請求項1047記載の水和可能なセメント。
[請求項1049]
水和可能なセメントの総重量に基づいて0.5〜50重量%のクラスNポゾランアッシュを含む、請求項1025記載の水和可能なセメント。
[請求項1050]
凝結遅延剤がボレート化合物を含む、請求項1025記載の水和可能なセメント。
[請求項1051]
水和可能なセメントの総重量に基づいて0.1〜3.0重量%の量でボレート凝結遅延剤を含む、請求項1025記載の水和可能なセメント。
[請求項1052]
凝結遅延剤がスルフェートまたは有機化合物を含む、請求項1025記載の水和可能なセメント。
[請求項1053]
活性化剤がクエン酸カリウムまたはクエン酸ナトリウムを含む、請求項1025記載の水和可能なセメント。
[請求項1054]
活性化剤が水和可能なセメントの総重量に基づいて0.1〜15重量%のクエン酸カリウムから構成される、請求項1025記載の水和可能なセメント。
[請求項1055]
シリカフューム、アルミン酸カルシウム、酸化マグネシウム、石灰、例えばメタカオリンのような反応性クレー、ウォラストナイト、空気連行剤(AEA)、ラテックス、ファイバ、減水剤およびそれらの組み合わせからなる群より選択される添加物をさらに含む、請求項1025記載の水和可能なセメント。
[請求項1056]
以下を含む、セメント性組成物：
ポゾラン粉末と、
少なくとも1つが6〜9のpHを有する、2つまたはそれ以上の活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、約6〜約9のpHを有する前記活性化剤が、水和可能なセメント中の活性化剤の総重量の50%より多くを占める、
水和可能なセメント；ならびに
1種または複数種の骨材フィラー。
[請求項1057]
以下を含む、セメント性組成物：
ポゾラン粉末と、
1種または複数種のpH中性活性化剤と、
凝結遅延剤と
を含む水和可能なセメントであって、
該水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ
前記水和可能なセメントが、水和可能なセメントの総重量に基づいて20重量%未満のポルトランドセメントを有する、
水和可能なセメント；ならびに
1種または複数種の骨材フィラー。
[請求項1058]
以下を含む、製造物品：
ポゾラン粉末と、
少なくとも1つが6〜9のpHを有する、2つまたはそれ以上の活性化剤と、
凝結遅延剤と
を含む水和および硬化したセメント組成物であって、
水和可能なセメントが、水和可能なセメントの総重量に基づいて15wt%またはそれ以上の酸化物として表されるカルシウム含量を有し、かつ
約6〜約9のpHを有する前記活性化剤が、水和可能なセメント中の活性化剤の総重量の50%より多くを占める、
水和および硬化したセメント組成物。
[請求項1059]
以下を含む、製造物品：
ポゾラン粉末と、
1種または複数種のpH中性活性化剤と、
凝結遅延剤と
を含む水和および硬化したセメント組成物であって、
水和可能なセメントが、水和可能なセメントの総重量に基づいて15wt%またはそれ以上の酸化物として表されるカルシウム含量を有し、かつ、
前記pH中性活性化剤が、水和可能なセメント中の活性化剤の総重量の50%より多くを占め、かつ
前記水和可能なセメントが、水和可能なセメントの総重量に基づいて20重量%未満のポルトランドセメントを有する、
水和および硬化したセメント組成物。